(57)【特許請求の範囲】
【請求項１】
表示装置で表示される表示内容に応じた入力制御を行う入力装置であって、
前記表示装置が表示可能な複数の表示内容のそれぞれに割り当てられた表示識別情報に対応して入力制御情報を記憶する記憶手段と、
前記表示装置が表示している現在の表示内容の表示識別情報を受信する受信手段と、
この受信手段で受信した前記表示識別情報に対応する入力制御情報を前記記憶手段から検索する検索手段と、
この検索手段で検索された入力制御情報に基づいて入力制御を行う入力制御手段と、
を備えたことを特徴とする入力装置。
【請求項２】
前記入力制御情報は、前記表示識別情報が割り当てられた表示内容に対応して入力すべき入力内容を表示する入力画面を制御する情報を含み、
前記入力制御手段は、前記受信手段で受信した表示識別情報に対応した入力画面を表示し、その入力画面に基づいて入力された情報を入力制御する、
ようにしたことを特徴とする請求項１に記載の入力装置。
【請求項３】
複数の選択肢を有する選択手段と、
を更に備え、
前記入力制御情報は前記表示識別情報が割り当てられた表示内容に対応して選択すべき選択肢を抽出する情報を含み、
前記入力制御手段は、前記受信手段で受信した表示識別情報に対応して抽出された選択肢に対する選択入力を許可することで、その抽出された選択肢のうちのいずれかの選択肢の入力を制御する、
ようにしたことを特徴とする請求項１に記載の入力装置。
【請求項４】
前記入力制御情報を外部管理装置から取得する取得手段と
前記取得手段により外部管理装置から入力制御情報を取得した場合に、前記記憶手段内の対応する入力制御を更新する更新手段と、
を更に備える、
ようにしたことを特徴とする請求項１から請求項３のいずれかに記載の入力装置。
【請求項５】
前記更新手段は、予め決められている時間帯に応じて前記記憶手段内の入力制御情報を更新する、
ようにしたことを特徴とする請求項４に記載の入力装置。
【請求項６】
前記検索手段で検索された入力画面を表示する表示手段と、
を更に備える、
ようにしたことを特徴とする請求項２に記載の入力装置。
【請求項７】
前記表示手段は、表示パネル上にタッチパネルを積層配設したタッチ画面手段を構成する、
ようにしたことを特徴とする請求項６に記載の入力装置。
【請求項８】
表示装置と入力装置とを有する入力システムであって、
前記表示装置は、
複数の表示内容の中から表示されている表示内容を検出する検出手段と、
前記検出手段により検出された表示内容を識別する表示識別情報を発信する発信手段を備え、
前記入力装置は、
前記複数の表示内容のそれぞれに割り当てられた表示識別情報に対応して入力制御情報を記憶する記憶手段と、
前記表示装置が発信した表示識別情報を受信する受信手段と、
この受信手段で受信した前記表示識別情報に対応する入力制御情報を前記記憶手段から検索する検索手段と、
この検索手段で検索された入力制御情報に基づいて入力制御を行う入力制御手段と、を備える、
ようにしたことを特徴とする入力システム。
【請求項９】
前記検出手段は、予め決められた表示内容を検出する、
ようにしたことを特徴とする請求項８に記載の入力システム。
【請求項１０】
前記表示装置は複数のページから成るブック状の印刷物で、この印刷物に少なくとも磁気センサ、光センサ、接触センサを付加したものであり、
前記検出手段は前記いずれかのセンサによって開かれているページを表示内容として検出し、
前記記憶手段は前記表示装置側の各ページの個々に対応して設けられていて、対応する内容を表示するための複数の前記入力画面データをそれぞれ記憶し、
前記検索手段は前記表示装置が発信した表示識別情報に対応する入力画面データ検索する、
ようにしたことを特徴とする請求項８又は請求項９に記載の入力システム。
【請求項１１】
前記印刷物はメニュー内容が記載ある複数のメニューページからなるメニューであり、
前記検出手段は複数のメニューページから注文者が閲覧しているメニューページを検出し、
前記記憶手段は前記メニューの各メニューページの個々に対応して設けられていて、対応するメニュー内容を表示するための複数の前記入力画面データをそれぞれ記憶し、
前記入力制御手段は、前記受信した表示識別情報に対応する入力画面に切り替え表示させる、
ようにしたことを特徴とする請求項１０のいずれかに記載の入力システム。
【請求項１２】
前記印刷物は複数のページからなる教科書であり、
前記検出手段は複数のページから問題を含んでいるページを検出し、
前記記憶手段は前記教科書の各問題を含んでいるページの個々に対応して設けられていて、対応する問題内容を表示するための複数の前記入力画面データをそれぞれ記憶し、
前記入力制御手段は、前記受信した表示識別情報に対応する入力画面に切り替え表示させる、
ようにしたことを特徴とする請求項１０のいずれかに記載の入力システム。
【請求項１３】
前記予め決められた表示内容は質問が記載してある資料であり、
前記検出手段は質問が記載してある資料を検出し、
前記入力装置は
複数の選択肢を有する選択手段と、
を更に備え、
前記入力制御情報は前記表示識別情報が割り当てられた表示内容に記載してある質問に対応して選択すべき選択肢を抽出する情報を含み、
前記入力制御手段は、前記受信手段で受信した表示識別情報に対応して抽出された選択肢に対する選択入力を許可することで、その抽出された選択肢のうちのいずれかの選択肢の入力を制御する、
ようにしたことを特徴とする。請求項９に記載の入力システム。
【請求項１４】
コンピュータに対して、
表示装置が表示可能な複数の表示内容のそれぞれに割り当てられた表示識別情報に対応して入力制御情報を記憶する記憶機能と、
前記表示装置が表示している現在の表示内容の表示識別情報を受信する受信機能と、
この受信機能で受信した前記表示識別情報に対応する入力制御情報を前記記憶機能から検索する検索機能と、
この検索機能で検索された入力制御情報に基づいて入力制御を行う入力制御機能と、
を実現させるためのプログラム。
【発明の詳細な説明】
【技術分野】
【０００１】
本発明は、データ入力時の入力を支援する入力装置及び入力システム並びにプログラムに関する。
【背景技術】
【０００２】
一般に、レストランなどにおいて注文者（顧客）は、メニューを見ながら所望する品目を注文し、受注者（店員）は、注文を聞き取ってオーダ端末装置（注文データ入力装置）を操作し、その注文品目が含まれている入力支援用の入力画面（例えば、注文入力時に参照される品名の一覧画面）を呼び出して表示させた後、この入力画面を利用して注文データを入力する操作を行うようにしている。すなわち、従来では、注文された料理を含むメニューを表示する入力画面を呼び出して表示するようにした技術（注文管理システム）が開示されている（特許文献１参照）。
【先行技術文献】
【特許文献】
【０００３】
【特許文献１】特開２００４−１１０３８１号公報
【発明の概要】
【発明が解決しようとする課題】
【０００４】
しかしながら、上述した先行技術にあっては、端末画面の表示サイズが限られているため、受注者（店員）はページ切り替え操作を何回も行いながら注文品目を含む入力画面を呼び出して表示させるようにしているが、注文を聞いてからその品目の注文データを入力し終わるまで時間を要し、その間に注文者（顧客）から次の注文を受けたとしても即座には対応することができないなど、受注作業の混乱を招くおそれがあった。  
【０００５】
本発明の課題は、閲覧者が閲覧している表示内容に対応するデータを入力する際に、特別な操作を行わなくても、そのデータ入力を支援できるようにすることである。
【課題を解決するための手段】
【０００６】
上述した課題を解決するために本発明の一つの態様は、  表示装置で表示される表示内容に応じた入力制御を行う入力装置であって、前記表示装置が表示可能な複数の表示内容のそれぞれに割り当てられた表示識別情報に対応して入力制御情報を記憶する記憶手段と、前記表示装置が表示している現在の表示内容の表示識別情報を受信する受信手段と、この受信手段で受信した前記表示識別情報に対応する入力制御情報を前記記憶手段から検索する検索手段と、この検索手段で検索された入力制御情報に基づいて入力制御を行う入力制御手段と、を備えたことを特徴とする。
【発明の効果】
【０００７】
本発明によれば、閲覧者が閲覧している表示内容に対応するデータを入力する際に、特別な操作を行わなくても、そのデータ入力を支援することができ、データ入力の円滑化を図ることが可能となる。
【図面の簡単な説明】
【０００８】
【図１】レストランなどでの飲食店に構築されている注文データ入力システムを示したブロック図。
【図２】オーダ端末装置１及びメニュー装置２の基本的な構成要素を示したブロック図。
【図３】（１）、（２）は、メニュー装置２の任意のページが開かれた状態を例示した図。
【図４】（１）、（２）は、メニュー装置２側で任意のページが開かれた際にそれに応答してオーダ端末装置１側のタッチ表示部１４に表示された入力画面を例示した図。
【図５】オーダ端末装置１側の入力画面メモリＭ２を説明するための図。
【図６】メニュー装置２の動作概要を説明するためのフローチャート。
【図７】オーダ端末装置１の特徴的な動作を説明するためのフローチャート。
【図８】入力画面データ設定処理（図７のステップＢ８）を詳述するためのフローチャート。
【図９】オーダ端末装置１に対して入力画面データを設定するＥＣＲ４側の動作を示したフローチャート。
【図１０】第一実施形態の変形例を説明するための店舗ネットワークシステムを示した図。
【図１１】第二実施形態において、学校などに構築されている解答データ入力システムを示したブロック図。
【図１２】解答入力装置６及び教科書装置５の基本的な構成要素を示したブロック図。
【図１３】（１）、（２）は、教科書装置５の任意のページが開かれた状態を例示した図。
【図１４】（１）、（２）は、教科書装置５側で任意のページが開かれた際にそれに応答して解答入力装置６側のタッチ表示部３４に表示された入力画面を例示した図。
【図１５】解答入力装置６側の入力画面メモリＭ４を説明するための図。
【図１６】教科書装置５の動作概要を説明するためのフローチャート。
【図１７】解答入力装置６の特徴的な動作を説明するためのフローチャート。
【図１８】第三実施形態において、会議などに構築されている回答データ入力システムを示したブロック図。
【図１９】回答入力装置６ｂ及び表示装置５ｂの基本的な構成要素を示したブロック図。
【図２０】回答入力装置６側の入力画面メモリＭ４ｂを説明するための図。
【図２１】表示装置５ｂの動作概要を説明するためのフローチャート。
【図２２】回答入力装置６ｂの特徴的な動作を説明するためのフローチャート。
【発明を実施するための形態】
【０００９】
以下、本発明の実施の形態について、図面を参照して詳細に説明する。
（第一実施形態）
先ず、図１〜図９を参照して本発明の第一実施形態について説明する。
本実施形態は、レストランなどでの飲食店で構築されている注文データ入力システムを示したブロック図である。
この注文データ入力システムは、受注者（ウェイターやウェイトレス）側のオーダ端末装置（注文データ入力装置）１と、各食卓（テーブル）に設置されている注文者（顧客）側のメニュー装置２と、厨房側のキッチンプリンタ３と、センタ装置（外部管理装置）としてのＥＣＲ（電子式キャッシュレジスタ）４とを有する構成で、オーダ端末装置１とメニュー装置２との間では近距離通信によりデータの送受信を行い、オーダ端末装置１とキッチンプリンタ３との間又はオーダ端末装置１とＥＣＲ４との間では構内通信網（ＬＡＮ：図示省略）を介してデータの送受信を行うようにしている。  
【００１０】
オーダ端末装置１は、受注者が所持する携帯可能なサイズ（掌サイズ）で、注文者から注文を受けた際に、受注者がその注文データを入力したり、注文データ入力支援用の入力画面を表示したりするもので、注文データのほかに、テーブル番号、顧客数、客層なども入力するようにしている。そして、オーダ端末装置１は、入力された注文データをテーブル番号に対応付けて記憶管理し、例えば、転送キー（図示省略）の操作に応答してテーブル番号毎に注文データをキッチンプリンタ３に送信したり、ＥＣＲ４に送信したりするようにしている。なお、キッチンプリンタ３、ＥＣＲ４への送信は、転送キーの操作に限らず、例えば、５分毎などのように所定時間毎に自動送信するようにしてもよい。なお、キッチンプリンタ３、ＥＣＲ４への送信として、本実施形態ではその周知技術を利用するようにしているため、その具体的な説明については省略するものとする。  
【００１１】
メニュー装置２は、食卓（テーブル）毎に用意されているブック状のメニュー（印刷物）で、複数のページ（例えば、１０ページ）を有し、各ページには、各品目が分類別に印刷されている。このメニュー装置２には、後述するが、複数のメニューページの中から注文者が閲覧しているメニューページを検出してそのページ識別データを発信する機能（ＩＣチップ化された各種の電子部品や電源部）が備えられている。メニュー装置２は、近距離通信機能として（例えば、Bluetooth（登録商標）：登録商標）を使用し、その通信可能範囲は、例えば、１〜１．５メートル程度としている。この場合、他のメニュー装置２と同じ周波数を使うようにしているが、通信可能範囲が狭く設定されている関係で電波干渉による通信速度の低下やデータを取り間違えやデータ化けする混信を防ぐことを可能としている。なお、ペアリングという仕組みによって混信を防ぐことで通信可能範囲を広げるようにしてもよい。  
【００１２】
図２は、オーダ端末装置１及びメニュー装置２の基本的な構成要素を示したブロック図である。  オーダ端末装置１は、ＣＰＵ（中央演算処理装置）１１を中核とするもので、ＣＰＵ１１は、電源部（二次電池）１２からの電力供給によって動作し、記憶部１３内の各種のプログラムに応じてこのオーダ端末装置１の全体動作を制御する。記憶部１３は、例えば、ＲＯＭ、フラッシュメモリなどを有する構成で、後述する図６及び図７に示した動作手順に応じて本実施形態を実現するためのプログラムや各種のアプリケーションなどが格納されているプログラムメモリＭ１と、後述するが、複数ページ分の入力画面を記憶管理する入力画面メモリＭ２を有するほか、このオーダ端末装置１が動作するために必要となる各種の情報（例えば、フラグ、タイマなど）を一時的に記憶するワークメモリを有する構成となっている。  
【００１３】
タッチ表示部１４は、指などでタッチ操作された位置を検知してその座標データを入力するタッチスクリーンを構成するもので、表示パネル１５とタッチセンサ１６とを有している。なお、タッチセンサ１６としては、静電容量方式、抵抗皮膜方式、電磁誘導方式、圧電方式などの各種方式のうち、軽量化、光透過性、耐久性などに優れた静電容量方式を採用しているが、その他の方式であってもよい。表示パネル１５は、高精細液晶ディスプレイ又は有機ＥＬ（Electro Luminescence）ディスプレイで、ソフトウェアキーとしての機能名を表示するほか、注文データ入力支援用の入力画面などを表示する。タッチセンサ１６は、静電容量の変化によりタッチ面にタッチ（接近又は接触）されたことを感知するもので、この透明なタッチセンサ１６が表示パネル１５の表示面全体に積層配設されている。  
【００１４】
近距離通信部１７は、オーダ端末装置１とメニュー装置２との間で近距離通信（例えば、Bluetooth（登録商標）：登録商標）を行うもので、オーダ端末装置１からペアリング操作を行うと、オーダ端末装置１、メニュー装置２は、接続相手先を確認する認証処理を行い、その認証結果に応じて通信リンクを確立するようにしている。ＣＰＵ１１は、メニュー装置２からのページ識別データを、近距離通信部１７を介して受信すると、入力画面メモリＭ２をアクセスし、この入力画面メモリＭ２に記憶されている複数ページ分の入力画面のうち、受信したページ識別データに対応する入力画面を読み出して表示パネル１５に切り替え表示させるようにしている。ＬＡＮ通信部１８は、オーダ端末装置１とキッチンプリンタ３との間又はオーダ端末装置１とＥＣＲ４との間では構内通信網（図示省略）を介してデータの送受信を行うものである。  
【００１５】
一方、メニュー装置２は、ＣＰＵ２１を中核とするもので、ＣＰＵ２１は、電源部（二次電池）２２からの電力供給によって動作し、記憶部２３内の各種のプログラムに応じてこのメニュー装置２の全体動作を制御する。記憶部２３は、後述する図８に示した動作手順に応じて本実施形態を実現するためのプログラムなどが格納され、また、このメニュー装置２が動作するために必要となる各種の情報を一時的に記憶するワークメモリを有する構成となっている。  
【００１６】
ページ検出部２４は、複数のメニューページの中から注文者が閲覧しているメニューページを磁気的に検出する構成となっており、例えば、各ページの所定位置（ページ毎に異なる位置）に埋め込まれた磁石（図示省略）と、最終ページに配設された複数個（ページ数分）の磁気センサ（図示省略）を有し、顧客が任意のページを開いた際に、そのページの磁石が対応する磁気センサから離れたことを感知することにより現在開かれているページを検出するようにしている。なお、ページ検出部２４は、磁気センサを使用する構成に限らず、光センサ又は接触センサを使用する構成であってもよく、更に磁気センサ、光センサ、接触センサを組み合わせた構成であってもよい。近距離通信部２５は、オーダ端末装置１とメニュー装置２との間で近距離通信（例えば、Bluetooth（登録商標）：登録商標）を行うもので、ＣＰＵ２１は、注文者が閲覧されている（開かれている）メニューページがページ検出部２４によって検出されると、そのページ識別データを生成して近距離通信部２５から発信させたり、記憶部２３内のワークメモリに一時記憶させたりするようにしている。  
【００１７】
図３は、メニュー装置２の任意のページが開かれた状態を例示した図である。
図３（１）は、メニューページＡ（例えば、１ページ目〜２ページ目）の内容として、ドリンクメニューの内容を示し、各種の品目（ドリンク）毎にその画像、価格、特徴データなどが印刷されている。図３（２）は、メニューページＢ（例えば、５ページ目〜６ページ目）の内容として、デザートメニューの内容を示し、各種の品目（デザート）毎にその画像、価格、特徴データなどが印刷されている。図３（１）に示すようにドリンクメニューが開かれると、ページ識別データ（１ページ目〜２ページ目）が近距離通信部２５から発信され、また、図３（２）に示すようにデザートメニューが開かれると、ページ識別データ（５ページ目〜６ページ目）が近距離通信部２５から発信される。  
【００１８】
図４は、メニュー装置２側で任意のページが開かれた際にそれに応答してオーダ端末装置１側のタッチ表示部１４に表示された入力画面を例示した図である。
図４（１）は、図３（１）に示すようにメニュー装置２側でドリンクメニューが開かれた際に、オーダ端末装置１側のタッチ表示部１４に表示されたドリンクメニュー対応の入力画面Ａを示し、各種の品目（ドリンク）に対応してその品名が一覧表示されると共に、入力された注文個数が値数される入力窓（図中、矩形枠で示した入力領域）が表示される。  
【００１９】
また、タッチ表示部１４には、図４（１）に示すように入力画面Ａのほか、各種のソフトキー（タッチキー）Ｋとして、例えば、メイン電源をオン／オフさせる電源キー、注文個数を入力するテンキー、注文データを確定して登録する登録キー、注文データを取り消すキャンセルキー、注文データの転送を指示する転送キーなどが配設表示されている。図４（２）は、図３（２）に示すようにメニュー装置２側でデザートメニューが開かれた際に、オーダ端末装置１側のタッチ表示部１４に表示されたデザートメニュー対応の入力画面Ｂを示し、各種の品目（デザート）に対応してその品名が一覧表示されると共に、入力された注文個数が値数される入力窓（図中、矩形枠で示した入力領域）が表示される。また、タッチ表示部１４には、図４（２）に示すように入力画面Ｂのほか、上述した各種のソフトキー（タッチキー）Ｋが配設表示されている。  
【００２０】
図５は、オーダ端末装置１側の入力画面メモリＭ２を説明するための図である。  入力画面メモリＭ２は、メニュー装置２を構成する複数のメニューページの個々に対応して設けられていて、対応するメニュー内容を表示するための複数の注文データ入力支援用の入力画面データを記憶管理するもので、この入力画面メモリＭ２には、図３（１）に示す１ページ目〜２ページ目のメニューページ（ドリンクメニュー）に対応する入力画面データとして、各品目（ドリンク）毎にその品目データ（品名としてウーロン茶など）が記憶されている。  
【００２１】
また、入力画面メモリＭ２には、図３（２）に示す５ページ目〜６ページ目のメニューページ（デザートメニュー）に対応する入力画面データとして、品目（デザート）毎にその品目データ（品名としてケーキＡなど）が記憶されている。また、入力画面メモリＭ２には、ｍページ目〜ｎページ目のメニューページ（ランチメニュー）に対応する入力画面データとして、各品目毎にその品目データ（品名としてＡランチ、Ｂランチ、Ｃランチ）が記憶されている。なお、ｍページ目〜ｎページ目に対応する入力画面データは、例えば、日毎や時間帯別にページ単位毎に更新されるデータが記憶される領域（日／時間帯更新領域）で、朝食、昼食などの日替わりメニューや時間帯別メニューの品目データ（品名）が記憶されている。  
【００２２】
次に、本実施形態における注文データ入力システムの動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。  
【００２３】
図６は、メニュー装置２の動作概要を説明するためのフローチャートである。
先ず、メニュー装置２のＣＰＵ２１は、ページ検出部２４からの出力結果を取得して現在開かれている（閲覧されている）ページを検出する（ステップＡ１）。その結果、全ページが閉じられたままの状態であれば（ステップＡ２でＹＥＳ）、メニュー装置２が使用されていないと判断して、次のステップＡ３に移り、近距離通信部２５への電源がオンされていれは、近距離通信部２５への電源をオフする。そして、前回検出のページ識別データが記憶部２３内のワークメモリに一時記憶されていれば、そのページ識別データを不要なデータとしてクリアした後（ステップＡ４）、最初のステップＡ１に戻る。  
【００２４】
また、いずれかのページが開かれているときには（ステップＡ２でＮＯ）、メニュー装置２が使用されている場合であると判断して、次のステップＡ５に移り、近距離通信部２５への電源がオフされていれば、近距離通信部２５への電源をオンする。そして、現在開かれているページを今回検出のページとしてそのページ識別データを生成すると共に、今回検出のページ識別データと記憶部２３内のワークメモリに一時記憶されている前回検出のページ識別データとを比較して両者は異なっているかを調べる（ステップＡ６）。ここで、両者が同一であれば（ステップＡ６でＮＯ）、今回検出のページを無視するために最初のステップＡ１に戻るが、両者が異なっていれば（ステップＡ６でＹＥＳ）、今回検出のページ識別データを近距離通信部２５から発信させる（ステップＡ７）。そして、今回検出のページ識別データを前回検出のページ識別データとして記憶部２３内のワークメモリに一時記憶させた後（ステップＡ８）、最初のステップＡ１に戻る。以下、同様の動作を繰り返す。  
【００２５】
図７は、オーダ端末装置１の特徴的な動作を説明するためのフローチャートである。
先ず、ＣＰＵ１１は、メニュー装置２からページ識別データを受信したかを調べたり（ステップＢ１）、注文データを入力する操作が行われたかを調べたり（ステップＢ２）、入力画面設定データを受信したかを調べたり（ステップＢ３）、メイン電源オフ操作が行われたかを調べたり（ステップＢ９）、キチンプリンタ転送要求を指示する操作が行われたかを調べたり（ステップＢ１１）、ＥＣＲ転送要求を指示する操作が行われたかを調べたりしながら（ステップＢ１３）、その操作が行われたり、その受信を検出するまで最初のステップＢ１に戻って待機状態となる。  
【００２６】
いま、メニュー装置２からページ識別データを受信したときには（ステップＢ１でＹＥＳ）、ステップＢ４に移り、メイン電源がオフされていれば、メイン電源をオンさせる。そして、受信したページ識別データに基づいて入力画面メモリＭ２を検索し（ステップＢ５）、ページ識別データに対応する入力画面データを読み出してタッチ表示部１４に表示させる（ステップＢ６）。これによって入力画面内には、例えば、図４（１）又は（２）に示すように各品名が一覧表示される。  
【００２７】
また、注文データが入力されたときには（ステップＢ２でＹＥＳ）、この注文データを登録する処理に移る（ステップＢ７）。すなわち、タッチ表示部１４上のタッチキーを操作することにより注文データを入力する際に、タッチ表示部１４に表示されている入力画面を利用して注文データを入力するようにしている。すなわち、入力画面に一覧表示されている各品名の中から注文を受けた品名の位置をタッチして注文品を選択した後に、テンキーを操作して注文品目の個数を入力すると、入力画面上の当該品名に対する入力窓（図中、矩形枠で示した入力領域）には、その入力個数が値数される。なお、テンキーを操作して注文品目の個数を入力する代わりに注文品目の位置を個数に応じた回数分タッチすることにより注文品目の個数を入力するようにしてもよい。このようにして入力された注文データは、記憶部２３内に記憶させて登録する処理が行われる。  
【００２８】
また、登録された注文データをキッチンプリンタ３に転送すべきことを指示する転送キーが操作されたときには（ステップＢ１１でＹＥＳ）、記憶部２３内に登録されている１取引（１テーブル）分の各注文データを取引毎に順次読み出してＬＡＮ通信部１８からキッチンプリンタ３に送信する処理を行う（ステップＢ１２）。同様に、登録された注文データ（１取引分のデータ）をＥＣＲ４に転送すべきことを指示する転送キーが操作されたときには（ステップＢ１３でＹＥＳ）、記憶部２３内に登録されている１取引（１テーブル）分の注文データを取引毎に順次読み出してＬＡＮ通信部１８からＥＣＲ４に送信する処理を行う（ステップＢ１４）。また、メイン電源をオフする操作が行われたときには（ステップＢ９でＹＥＳ）、メイン電源をオフした後（ステップＢ１０）、このフローの終了となるが、ＥＣＲ４からＬＡＮ通信部１８を介して入力画面設定データを受信したときには（ステップＢ３でＹＥＳ）、後述する入力画面データ設定処理に移る（ステップＢ８）。  
【００２９】
図８は、入力画面データ設定処理（図７のステップＢ８）を詳述するためのフローチャートであり、図９は、オーダ端末装置１に対して入力画面データを設定するＥＣＲ４側の動作を示したフローチャートで、一定時間（例えば、１分間隔）毎の割込みイベントに応じて実行開始される。
先ず、ＥＣＲ４側の動作について説明する。ＥＣＲ４は、朝食、昼食などの日替わりメニューや時間帯別メニューの開始時刻に達したかを調べ（図９のステップＤ１）、その開始時刻に達したときには（ステップＤ１でＹＥＳ）、日替わりメニューや時間帯別メニューに応じた入力画面データをページ単位毎に追加設定させるためにその入力画面データを、構内通信網を介してオーダ端末装置１に対して送信する（ステップＤ２）。  
【００３０】
また、日替わりメニューや時間帯別メニューの終了時刻に達したかを調べ（ステップＤ３）、その終了時刻に達したときには（ステップＤ３でＹＥＳ）、日替わりメニューや時間帯別メニューに応じた入力画面データをページ単位毎に削除させるための指示を、構内通信網を介してオーダ端末装置１に送信する（ステップＤ４）。また、１ページ分の入力画面データのうちその一部分の追加又は削除が要求されたときには（ステップＤ５でＹＥＳ）、その一部分の追加又は削除を指示するための送信を、構内通信網を介してオーダ端末装置１に対して行う（ステップＤ６）。  
【００３１】
このようにしてＥＣＲ４側で入力画面設定処理が行われると、オーダ端末装置１側において、ＥＣＲ４から入力画面データのページ単位毎の追加が指示されたときには（図８のステップＣ１でＹＥＳ）、受信した入力画面データをページ単位毎に追加する処理を行う（ステップＣ２）。この場合、入力画面メモリＭ２内の日／時間帯更新領域に受信した入力画面データをページ単位毎に追加登録する。また、ＥＣＲ４から入力画面データのページ単位毎の削除が指示されたときには（ステップＣ３でＹＥＳ）、入力画面メモリＭ２内の日／時間帯更新領域から該当ページの入力画面データを削除する処理を行う（ステップＣ４）。また、ＥＣＲ４から入力画面データの一部分の追加が指示されたときには（ステップＣ５でＹＥＳ）、該当する入力画面にデータを一部追加し（ステップＣ６）、また、入力画面データの一部分を削除が指示されたときには（ステップＣ７でＹＥＳ）、該当する入力画面の一部のデータを削除する（ステップＣ８）。このようにして入力画面メモリＭ２の内容は、ＥＣＲ４からの指示に応じて変更される。  
【００３２】
以上のように、本実施形態においてオーダ端末装置１は、複数のメニューページの中から注文者が閲覧しているメニューページを検出してそのページ識別データを発信するメニュー装置２からページ識別データを受信した場合に、複数のメニューページの個々に対応する注文データ入力支援用の入力画面のうち、受信したページ識別データに対応する入力画面データを表示するようにしたので、注文者から注文を受けた受注者がその注文データを入力する際に、特別な操作を行わなくても、注文者側が閲覧しているメニューページに対応する注文データ入力支援用の入力画面を表示することができ、受注作業の円滑化を図ることが可能となる。すなわち、従来のように、受注者（店員）にあってはページ切り替え操作を何回も行いながら注文品目を含む入力画面を呼び出して表示させる必要がなくなるために注文を聞いてからその品目の注文データを入力するまでの時間を大幅に短縮することができ、顧客へのサービス強化のほか、店舗側のメリットも大きなものとなる。  
【００３３】
オーダ端末装置１は、メニュー装置２側の各メニューページの個々に対応して設けられていて、対応するメニュー内容を表示するための複数の入力画面データを記憶する入力画面メモリＭ２を参照し、受信したページ識別データに対応する入力画面データを入力画面メモリＭ２から読み出して表示するようにしたので、ネットワークを介して入力画面データを受信する場合に比べて、注文者側が閲覧しているメニューページに対応する入力画面を、時間を要さずに取得することができ、注文を聞いてからその品目の注文データを入力するまでの時間を更に短縮することが可能となる。  
【００３４】
オーダ端末装置１は、ＥＣＲ４から入力画面データを受信して入力画面メモリＭ２の内容を更新するようにしたので、入力画面データを事前に取得して更新することができ、入力画面データの変更にも適切に対応可能となる。  
【００３５】
オーダ端末装置１は、予め決められている時間帯に応じて入力画面メモリＭ２の内容を更新するようにしたので、時間帯毎に異なる時間帯別メニュー事前に取得して更新することができ、時間帯別メニューにも対応可能となる。  
【００３６】
オーダ端末装置１は、表示パネル１５上にタッチセンサ１６を積層したタッチ表示部１４により、注文者から注文を受けた受注者がその注文データを入力したり、注文データ入力支援用の入力画面を表示したりするようにしたので、注文データの入力が直感的に分かり易いものとなり、注文データの入力間違いを少なくすることができる。  
【００３７】
メニュー装置２は、複数のメニューページから成るブック状の印刷物であり、この印刷物にＣＰＵ２１、記憶部２３、ページ検出部２４、近距離通信部２５をＩＣチップ化して組み込むようにしたので、既存の印刷物にＩＣチップを組み込むことにより既存の印刷物をそのまま利用することが可能となる。  
【００３８】
メニュー装置２のページ検出部２４、磁気センサを利用して現在開かれているページを検出するようにしたので、温度や熱などの外部環境に影響されずに、適切なページ検出が可能となる。  
【００３９】
なお、上述した実施形態においては、オーダ端末装置１とメニュー装置２との間で近距離通信を介して入力画面データを送受信するようにしたが、オーダ端末装置１は、構内通信網を利用して外部管理装置から入力画面データを受信して表示するようにしてもよい。  
【００４０】
図１０は、構内通信網を利用して入力画面データを送受信する場合の店舗ネットワークシステム（無線ＬＡＮ）を示したブロック図である。
オーダ端末装置１は、店舗ネットワークシステム（無線ＬＡＮ）を構成するアクセスポイントＡＰを介してＥＣＲ４に接続可能となっている。オーダ端末装置１は、近距離通信によるペアリング時にメニュー装置２との通信が確立されると、メニュー装置２からページ識別データを受信するが、その際、メニュー装置２を識別するメニュー識別データをページ識別データと共に受信する。そして、オーダ端末装置１は、このページ識別データ及びメニュー識別データと共に、自己の端末を識別する端末識別データを、最寄りのアクセスポイントＡＰを介してＥＣＲ４に送信する。  
【００４１】
ＥＣＲ４は、オーダ端末装置１から受信したページ識別データに基づいて構内データベースＤＢを検索する。この構内データベースＤＢは、メニュー装置２を構成する複数のメニューページの個々に対応する入力画面データを記憶管理するもので、ＥＣＲ４は、構内データベースＤＢからページ識別データに対応する入力画面データを読み出し、受信した端末識別データが示すオーダ端末装置１を宛先として入力画面データを送信する。オーダ端末装置１は、ＥＣＲ４から入力画面データを受信すると、それをタッチ表示部１４に表示させる。以下、上述の動作は、注文終了の指示に応じてオーダ端末装置１とメニュー装置２との通信確立が解除されるまで繰り返される。  
【００４２】
また、上述した実施形態においては、オーダ端末装置１とメニュー装置２との間での近距離通信として、Bluetooth（登録商標）通信を利用するようにしたが、これに限らず、赤外線通信、非接触ＩＣカード通信などを利用した近距離通信であってもよい。また、オーダ端末装置１とメニュー装置２との間での通信は、近距離通信に限らず、構内通信網を利用するようにしてもよい。  
【００４３】
上述した実施形態においては、表示パネル１５上にタッチセンサ１６を積層したタッチ表示部１４を構成するようにしたが、注文データを入力する入力部を押しボタン形式のストロークキーとして、この入力部の近傍に表示部を設けるようにしてもよい。  
【００４４】
上述した実施形態においてメニュー装置２は、複数のメニューページから成るブック状の印刷物に各種の電子部品ＩＣチップ化して組み込むようにしたが、電子ブック形式の電子装置でもよく、その表示部に各種のメニューを切り替え表示するようにしたものであってもよい。  
【００４５】
上述した実施形態においては、メニュー装置２のページ検出部２４、磁気センサを利用して現在開かれているページを検出するようにしたが、これに限らず、光センサ、接触センサであってもよい。  
【００４６】
また、上述した実施形態においては、レストランなどの飲食店で注文データを入力する場合に適用したが、飲食店に限らないことは勿論である。  
【００４７】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。  
【００４８】
（第二実施形態）
次に、図１１〜図１７を参照して本発明の第二実施形態について説明する。
本第二実施形態は、学校教育などで構築されている解答データ入力システムである。  
【００４９】
この解答データ入力システムは、出題者（先生）側の教科書装置５と、各机に設置されている解答者（生徒）側の解答入力装置６と、各解答装置６の解答データを管理する管理装置７とを有する構成である。教科書装置５と各解答入力装置６、解答入力装置６と管理装置７との間では構内通信網（ＬＡＮ：図示省略）を介してデータの送受信を行うようにしている。  
【００５０】
解答入力装置６は、解答者の机に設置され、出題者から問題を受けた際に、解答者がその解答データを入力したり、解答データ入力支援用の入力画面を表示したりするもので、解答データのほかに、机番号なども入力するようにしている。そして、解答入力装置６は、入力された解答データを机番号に対応付けて記憶管理し、例えば、転送キー（図示省略）の操作に応答して机番号毎に解答データを管理装置７に送信したりするようにしている。なお、管理装置７への送信として、本実施形態ではその周知技術を利用するようにしているため、その具体的な説明については省略するものとする。  
【００５１】
教科書装置５は、出題者に用意されているブック状の教科書（印刷物）で、複数のページ（例えば、１００ページ）を有している。この教科書装置５には、後述するが、複数のメニューページの中から出題者が出題するページを検出してそのページ識別データを発信する機能（ＩＣチップ化された各種の電子部品や電源部）が備えられている。なお、解答入力装置６への送信として、本実施形態ではその周知技術を利用するようにしているため、その具体的な説明については省略するものとする。  
【００５２】
図１２は、解答入力装置６及び教科書装置５の基本的な構成要素を示したブロック図である。
頁検出部４４は、複数の教科書ページの中から出題者が出題する教科書ページを磁気的に検出する構成となっている。記憶部４３には、出題者が問題を出題するときに開くページを出題ページとして記憶してある。なお、その他各構成については実施形態１と同一なので説明を省略する。  
【００５３】
図１３は、教科書装置５の任意のページが開かれた状態を例示した図である。
図１３（１）は、教科書ページＡ（例えば、３ページ目〜４ページ目）の内容として、知的財産権の内容を示している。図１３（２）は、教科書ページＢ（例えば、９ページ目〜１０ページ目）の内容として、出題者が出題する内容が含まれている。本実施形態では、図１３（２）に示すように出題者が出題しようとする問題を含んでいる教科書ページが記憶部４３に出題ページとして記憶されており、そのページが開かれると、ページ識別データ（９ページ目〜１０ページ目）が通信部４５から発信される。  
【００５４】
図１４は、教科書装置５側で問題を含むページが開かれた際にそれに応答して解答入力装置６側のタッチ表示部１４に表示された入力画面を例示した図である。
図１４（１）は、教科書装置５で開かれていたページの問題が記述式の問題であった場合、図１３（２）のように例えば９ページ目から１０ページ目、を示す図である。この場合、解答者は解答枠９の中に問題の解答を記述する。
図１４（２）は、教科書装置５で開かれていたページの問題が選択式の問題であった場合を示す図である。この場合、解答者は選択枠１０を選択することにより問題に解答する。  
【００５５】
図１５は、解答入力装置５側の入力画面メモリＭ４を説明するための図である。
入力画面メモリＭ４は、記憶部４３に記憶されている出題ページ、つまり教科書装置５を構成する複数の教科書ページの内問題を含んでいるページ、に対応して設けられていて、対応する問題内容を表示するための複数の解答データ入力支援用の入力画面データを記憶管理するもので、この入力画面メモリＭ４には、図１３（２）、図１４（１）に対応する記述式の問題の入力画面データとして、ページ数に対応付けられて問題の内容が記憶されている。  
【００５６】
また、入力画面メモリＭ４には、図１４（２）に示す問題内容に対応する入力画面データとして、ページ数に対応付けられて問題内容と選択肢が記憶されている。  
【００５７】
次に、本実施形態における解答データ入力システムの動作概念を図１６〜図１７に示すフローチャートを参照して説明する。ここで、これらのフローチャートに記述されている各機能は、実施形態１同様に読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。  
【００５８】
図１６は、教科書装置５の動作概要を説明するためのフローチャートである。
先ず、教科書装置５のＣＰＵ４１は、頁検出部４４からの出力結果を取得して、記憶部４３に記憶された出題ページが現在開かれている（閲覧されている）か否かを検出する（ステップＥ１）。本実施形態では記憶された出題ページは問題を含むページである。その結果、記憶された出題ページが開かれていない状態であれば（ステップＥ１でＮＯ）記憶された出題ページが開かれるまで検出する。  
【００５９】
ステップＥ１で記憶された出題ページが開かれていると検出された場合（ステップＥ１でＹＥＳ）、次のステップＥ２に移り、現在開かれているページを今回検出のページとしてそのページ識別データを生成すると共に、今回検出のページ識別データと記憶部４３内のワークメモリに一時記憶されている前回検出のページ識別データとを比較して両者は異なっているかを調べる（ステップＥ２）。ここで、両者が同一であれば（ステップＥ２でＮＯ）、今回検出のページを無視するために最初のステップＥ１に戻るが、両者が異なっていれば（ステップＥ２でＹＥＳ）、今回検出のページ識別データを通信部４５から発信させる（ステップＥ３）。そして、今回検出のページ識別データを前回検出のページ識別データとして記憶部４３内のワークメモリに一時記憶させた後（ステップＥ４）、最初のステップＥ１に戻る。以下、同様の動作を繰り返す。  
【００６０】
図１７は、解答入力装置６の特徴的な動作を説明するためのフローチャートである。
先ず、ＣＰＵ３１は、教科書装置５からページ識別データを受信したかを調べる（ステップＦ１）。ステップＦ１で受信をしていない場合（ステップＦ１でＮＯ）、その受信を検出するまで最初のステップＦ１に戻って待機状態となる。  
【００６１】
いま、教科書装置５からページ識別データを受信したときには（ステップＦ１でＹＥＳ）、ステップＦ２に移り、受信したページ識別データに基づいて入力画面メモリＭ４を検索し（ステップＦ２）、ページ識別データに対応する入力画面データを読み出してタッチ表示部３４に表示させる（ステップＦ３）。これによって入力画面内には、例えば、図１４（１）又は（２）に示すように問題と解答枠９，１０が表示される。  
【００６２】
ステップＦ３でタッチ表示部３４に問題が表示されると、解答者は問題の解答を始める。表示されている画面が図１４（１）の場合、解答者は解答枠９に解答を記述する。表示されている画面が図１４（２）の場合は、解答者は解答枠１０の中でいずれかを選択することにより、問題に解答する。  
【００６３】
解答が入力された場合（ステップＦ４でＹＥＳ）、この解答データを登録する（ステップＦ６）。その後、登録された解答データを管理装置に送信し（ステップＦ６）、本実施形態の処理は終了する。  
【００６４】
なお、本実施形態では、記憶された出題ページを、問題を含むページとしたがこれに限るものではない。たとえば、出題者（先生）が教科書のあるページで問題を出題したい場合、そのページを検出するとしてもよい。  
【００６５】
なお、本実施形態では、出題した問題は記憶されたページに記載された問題であったが、これに限るものではない。例えば、出題者が作った問題にしてもよい。  
【００６６】
（第三実施形態）
次に、図１８〜図２２を参照して本発明の第三実施形態について説明する。
本第三実施形態は、会議などで構築されている回答データ入力システムである。なお、第一実施形態、第二実施形態と同様な箇所の説明を省略する。  
【００６７】
この回答データ入力システムは、各テーブルに設置されている回答者（会議の参加者等）側の回答入力装置６ｂと、質問者（議長等）側の表示装置５ｂと、各回答装置６ｂの回答データを管理する管理装置７ｂとを有する構成である。表示装置５ｂと各回答入力装置６ｂ、回答入力装置６ｂと管理装置７ｂとの間では構内通信網（ＬＡＮ：図示省略）を介してデータの送受信を行うようにしている。  
【００６８】
回答入力装置６ｂは、回答者のテーブルに設置され、質問者から質問を受けた際に、回答者が回答スイッチ３６ｂを押すことによりその回答データを入力したりするようにしている。そして、回答入力装置６ｂは、入力された回答データを記憶管理し、例えば、転送スイッチ（図示省略）の操作に応答して回答データを管理装置７ｂに送信したりするようにしている。なお、管理装置７ｂへの送信として、本実施形態ではその周知技術を利用するようにしているため、その具体的な説明については省略するものとする。  
【００６９】
表示装置５ｂは、質問者に用意されているプレゼンテーションで用いる例えばＰＣ等である。この表示装置５ｂには、後述するが、複数の資料の中から質問者が参加者に質問する資料を検出してその資料識別データを発信する機能が備えられている。なお、回答入力装置６ｂへの送信として、本実施形態ではその周知技術を利用するようにしているため、その具体的な説明については省略するものとする。  
【００７０】
図１９は表示装置５ｂ、回答入力装置６ｂを示したブロック図である。
回答スイッチ３６ｂは、質問の選択肢に応じたスイッチを入力可能状態にし、回答者の回答を受け付ける。例えば、予め４個のスイッチ（ａ〜ｄ）が用意され、質問の選択肢が２つの場合は４個のスイッチ（ａ〜ｄ）の内４つ（ａ，ｂ）を入力可能にすることにより回答者からの回答を受け付ける。なお、入力可能になった回答スイッチを光らせ回答者に入力可能になったことを知らせてもよい。また、回答スイッチ３６ｂの数を４個としたがこれに限るものではない。  
その他の構成は第一実施形態又は第二実施形態と同様なため説明を省略する。  
【００７１】
資料検出部４４ｂは質問者が回答者に対して質問をするために、用意した資料を検出する。なお、検出する資料は、プレゼンテーション用の資料の特定のページでもよいし、プレゼンテーション用の資料自体でもよい。その他の構成は第一実施形態又は第二実施形態と同様なため説明を省略する。
記憶部４３ｂは質問者が質問したいときに表示する資料または資料の特定のページを質問資料として記憶する。  
【００７２】
図２０は、回答入力装置６ｂ側の選択肢メモリＭ４ｂを説明するための図である。
選択肢メモリＭ４ｂは、記憶部４３ｂに記憶されている質問資料、すなわち表示装置５ｂが表示する資料の内質問を含んでいる資料のページまたは資料自体、に対応して設けられていて、質問に対する選択肢を記憶管理するもので、この選択肢メモリＭ４ｂには、例えば資料Ａ９ページ目の質問に対応する選択肢がその資料に対応付けられて記憶されている。
また、選択肢メモリＭ４ｂには、資料Ｂに対応する選択肢がその資料に対応付けられて記憶されている。  
【００７３】
次に、本実施形態における回答データ入力システムの動作概念を図２１〜図２２に示すフローチャートを参照して説明する。ここで、これらのフローチャートに記述されている各機能は、第一実施形態又は第二実施形態同様に読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。  
【００７４】
図２１は、表示装置５ｂの動作概要を説明するためのフローチャートである。
先ず、表示装置５のＣＰＵ４１ｂは、資料検出部４４ｂからの出力結果を取得して、記憶部４３ｂに記憶された質問資料が現在開かれているか否かを検出する（ステップＧ１）。その結果、質問資料が開かれていない状態であれば（ステップＧ１でＮＯ）、質問資料が開かれるまで検出する。  
【００７５】
ステップＧ１で質問資料が開かれていると検出された場合（ステップＧ１でＹＥＳ）、次のステップＧ２に移り、現在開かれている資料を今回検出の資料としてその資料識別データを生成すると共に、今回検出の資料識別データと記憶部４３ｂ内のワークメモリに一時記憶されている前回検出の資料識別データとを比較して両者は異なっているかを調べる（ステップＧ２）。ここで、両者が同一であれば（ステップＧ２でＮＯ）、今回検出の資料を無視するために最初のステップＧ１に戻るが、両者が異なっていれば（ステップＧ２でＹＥＳ）、今回検出の資料識別データを通信部４５ｂから発信させる（ステップＧ３）。そして、今回検出の資料識別データを前回検出の資料識別データとして記憶部４３ｂ内のワークメモリに一時記憶させた後（ステップＧ４）、最初のステップＧ１に戻る。以下、同様の動作を繰り返す。  
【００７６】
図２２は、回答入力装置６ｂの特徴的な動作を説明するためのフローチャートである。
先ず、ＣＰＵ３１ｂは、表示装置５ｂから資料識別データを受信したかを調べる（ステップＨ１）。ステップＨ１で受信をしていない場合（ステップＨ１でＮＯ）、その受信を検出するまで最初のステップＨ１に戻って待機状態となる。  
【００７７】
いま、表示装置５ｂから資料識別データを受信したときには（ステップＨ１でＹＥＳ）、ステップＨ２に移り、受信したページ識別データに基づいて選択肢メモリＭ４ｂを検索し（ステップＨ２）、資料識別データに対応する選択肢データを読み出して、選択肢データに対応した回答スイッチ３６ｂを入力可能にする（ステップＨ３）。例えば、表示装置が図２０の資料Ｂを検出した場合、回答スイッチ３６ｂの４つのスイッチ（ａ〜ｄ）のうち２つのスイッチ（ａ，ｂ）を入力可能にする。  
【００７８】
ステップＨ３で回答スイッチ３６ｂの入力が可能になると、回答者の回答に対応した回答スイッチ３６ｂを押すことにより、回答者は質問に対する回答を行う。  
【００７９】
回答スイッチ３６ｂが押された場合、つまり回答が入力された場合（ステップＨ４でＹＥＳ）、この回答データを登録する（ステップＨ５）。その後、登録された回答データを管理装置に送信し（ステップＨ６）、本実施形態の処理は終了する。  
【００８０】
なお、本実施形態では表示装置５ｂと管理装置７ｂを別々の装置としたが、一つの装置としてもよい。  
【００８１】
なお、本実施の形態では回答を選択する手段としてスイッチを用いたが、ダイヤル式の入力部としてもよい。  
【００８２】
以上、この発明のいくつかの実施形態について説明したが、この発明は、これらに限定されるものではなく、特許請求の範囲に記載された発明とその均等の範囲を含むものである。
以下、本願出願の特許請求の範囲に記載された発明を付記する。  
【００８３】
（付記）
（請求項１）
表示装置で表示される表示内容に応じた入力制御を行う入力装置であって、
前記表示装置が表示可能な複数の表示内容のそれぞれに割り当てられた表示識別情報に対応して入力制御情報を記憶する記憶手段と、
前記表示装置が表示している現在の表示内容の表示識別情報を受信する受信手段と、
この受信手段で受信した前記表示識別情報に対応する入力制御情報を前記記憶手段から検索する検索手段と、
この検索手段で検索された入力制御情報に基づいて入力制御を行う入力制御手段と、
を備えたことを特徴とする入力装置。
（請求項２）
前記入力制御情報は、前記表示識別情報が割り当てられた表示内容に対応して入力すべき入力内容を表示する入力画面を制御する情報を含み、
前記入力制御手段は、前記受信手段で受信した表示識別情報に対応した入力画面を表示し、その入力画面に基づいて入力された情報を入力制御する、
ようにしたことを特徴とする請求項１に記載の入力装置。
（請求項３）
複数の選択肢を有する選択手段と、
を更に備え、
前記入力制御情報は前記表示識別情報が割り当てられた表示内容に対応して選択すべき選択肢を抽出する情報を含み、
前記入力制御手段は、前記受信手段で受信した表示識別情報に対応して抽出された選択肢に対する選択入力を許可することで、その抽出された選択肢のうちのいずれかの選択肢の入力を制御する、
ようにしたことを特徴とする請求項１に記載の入力装置。
（請求項４）
前記入力制御情報を外部管理装置から取得する取得手段と
前記取得手段により外部管理装置から入力制御情報を取得した場合に、前記記憶手段内の対応する入力制御を更新する更新手段と、
を更に備える、
ようにしたことを特徴とする請求項１から請求項３のいずれかに記載の入力装置。
（請求項５）
前記更新手段は、予め決められている時間帯に応じて前記記憶手段内の入力制御情報を更新する、
ようにしたことを特徴とする請求項４に記載の入力装置。
（請求項６）
前記検索手段で検索された入力画面を表示する表示手段と、
を更に備える、
ようにしたことを特徴とする請求項２に記載の入力装置。
（請求項７）
前記表示手段は、表示パネル上にタッチパネルを積層配設したタッチ画面手段を構成する、
ようにしたことを特徴とする請求項６に記載の入力装置。
（請求項８）
表示装置と入力装置とを有する入力システムであって、
前記表示装置は、
複数の表示内容の中から表示されている表示内容を検出する検出手段と、
前記検出手段により検出された表示内容を識別する表示識別情報を発信する発信手段を備え、
前記入力装置は、
前記複数の表示内容のそれぞれに割り当てられた表示識別情報に対応して入力制御情報を記憶する記憶手段と、
前記表示装置が発信した表示識別情報を受信する受信手段と、
この受信手段で受信した前記表示識別情報に対応する入力制御情報を前記記憶手段から検索する検索手段と、
この検索手段で検索された入力制御情報に基づいて入力制御を行う入力制御手段と、を備える、
ようにしたことを特徴とする入力システム。
（請求項９）
前記検出手段は、予め決められた表示内容を検出する、
ようにしたことを特徴とする請求項８に記載の入力システム。
（請求項１０）
前記表示装置は複数のページから成るブック状の印刷物で、この印刷物に少なくとも磁気センサ、光センサ、接触センサを付加したものであり、
前記検出手段は前記いずれかのセンサによって開かれているページを表示内容として検出し、
前記記憶手段は前記表示装置側の各ページの個々に対応して設けられていて、対応する内容を表示するための複数の前記入力画面データをそれぞれ記憶し、
前記検索手段は前記表示装置が発信した表示識別情報に対応する入力画面データ検索する、
ようにしたことを特徴とする請求項８又は請求項９に記載の入力システム。
（請求項１１）
前記印刷物はメニュー内容が記載ある複数のメニューページからなるメニューであり、
前記検出手段は複数のメニューページから注文者が閲覧しているメニューページを検出し、
前記記憶手段は前記メニューの各メニューページの個々に対応して設けられていて、対応するメニュー内容を表示するための複数の前記入力画面データをそれぞれ記憶し、
前記入力制御手段は、前記受信した表示識別情報に対応する入力画面に切り替え表示させる、
ようにしたことを特徴とする請求項１０のいずれかに記載の入力システム。
（請求項１２）
前記印刷物は複数のページからなる教科書であり、
前記検出手段は複数のページから問題を含んでいるページを検出し、
前記記憶手段は前記教科書の各問題を含んでいるページの個々に対応して設けられていて、対応する問題内容を表示するための複数の前記入力画面データをそれぞれ記憶し、
前記入力制御手段は、前記受信した表示識別情報に対応する入力画面に切り替え表示させる、
ようにしたことを特徴とする請求項１０のいずれかに記載の入力システム。
（請求項１３）
前記予め決められた表示内容は質問が記載してある資料であり、
前記検出手段は質問が記載してある資料を検出し、
前記入力装置は
複数の選択肢を有する選択手段と、
を更に備え、
前記入力制御情報は前記表示識別情報が割り当てられた表示内容に記載してある質問に対応して選択すべき選択肢を抽出する情報を含み、
前記入力制御手段は、前記受信手段で受信した表示識別情報に対応して抽出された選択肢に対する選択入力を許可することで、その抽出された選択肢のうちのいずれかの選択肢の入力を制御する、
ようにしたことを特徴とする。請求項９に記載の入力システム。
（請求項１４）
コンピュータに対して、
表示装置が表示可能な複数の表示内容のそれぞれに割り当てられた表示識別情報に対応して入力制御情報を記憶する記憶機能と、
前記表示装置が表示している現在の表示内容の表示識別情報を受信する受信機能と、
この受信機能で受信した前記表示識別情報に対応する入力制御情報を前記記憶機能から検索する検索機能と、
この検索機能で検索された入力制御情報に基づいて入力制御を行う入力制御機能と、
を実現させるためのプログラム。
【符号の説明】
【００８４】
１  オーダ端末装置
２  メニュー装置
３  キッチンプリンタ
４  ＥＣＲ
５  教科書装置
６  解答入力装置
７、７ｂ  管理装置
１１、２１、３１、４１、３１ｂ、４１ｂ  ＣＰＵ
１３、２３、３３、４３、３３ｂ、４３ｂ  記憶部
１４、３４  タッチ表示部
１５、３５  表示パネル
１６、３６  タッチセンサ
１７  近距離通信部
１８、３８、４５、３８ｂ、４５ｂ  ＬＡＮ通信部
２４、４４  ページ検出部
２５  近距離通信部
Ｍ１、Ｍ３  プログラムメモリ
Ｍ２、Ｍ４  入力画面メモリ
３６ｂ  回答スイッチ
４４ｂ  資料検出部
【図１】
0005428065.tif 000002
【図２】
0005428065.tif 000003
【図３】
0005428065.tif 000004
【図４】
0005428065.tif 000005
【図５】
0005428065.tif 000006
【図６】
0005428065.tif 000007
【図７】
0005428065.tif 000008
【図８】
0005428065.tif 000009
【図９】
0005428065.tif 000010
【図１０】
0005428065.tif 000011
【図１１】
0005428065.tif 000012
【図１２】
0005428065.tif 000013
【図１３】
0005428065.tif 000014
【図１４】
0005428065.tif 000015
【図１５】
0005428065.tif 000016
【図１６】
0005428065.tif 000017
【図１７】
0005428065.tif 000018
【図１８】
0005428065.tif 000019
【図１９】
0005428065.tif 000020
【図２０】
0005428065.tif 000021
【図２１】
0005428065.tif 000022
【図２２】
0005428065.tif 000023